(57)【要約】【課題】施術近傍でパーマやカラーリングなどの薬剤や器具を使用できる作業用テーブルを簡易に形成でき且つ収納できるようにする。【解決手段】洗髪台１５もしくは前記洗髪台１５の両側に設けられる収納台１４との間に収納棚１を設け、該収納棚１上方部の前面下部で回転自在に天板部２を軸支させ、前記天板部２の前方上部に回動自在に軸支される脚板部４を設け、該収納棚１から前記天板部２および脚板部４を外して作業用テーブルを形成でき且つ作業テーブルを折り畳み、前記収納棚１の前面部に収納できるようにする。【選択図】          図６
2004305638.tif 000002
【特許請求の範囲】
【請求項１】
２以上の洗髪台が収納台とともに連接して設けられる理美容用収納洗髪台において、前記洗髪台もしくは前記洗髪台の両側に取り付けられる収納台との間に設けられる収納棚と、該収納棚上方部の前面下部で回転自在に軸支される天板部と、前記天板部の前方上部で回動自在に軸支される脚板部を設けるとともに、該収納棚から前記天板部および脚板部を外して作業用テーブルを形成でき、前記作業用テーブル不使用時には該天板部および脚板部を折り畳み、前記収納棚の前面部に収納できるようにしたことを特徴とする理美容室における作業用テーブル装置。
【発明の詳細な説明】
【０００１】
【発明の属する技術分野】
本発明は、洗髪台および収納台ならびに洗髪台に相対向して設置される理美容椅子等で構成される理美容室空間を有効に活用できる理美容室における作業用テーブルに関する。
【０００２】
【従来の技術】
従来、理美容室では洗髪台、収納台および洗髪台に対向して設けられる理美容椅子で構成されている。
頭髪の施術を行う際は、被施術者が理美容椅子に座った状態で整髪を行い、洗髪をする際は理美容椅子と相対向して設けられる洗髪台の洗髪ボールを開いて洗髪状態にして被施術者の洗髪を行うようにしている。
前記した洗髪台の上方部には通常鏡が設けられており、施術者または被施術者は該鏡を見ながら整髪を行うようにしている。
【０００３】
また前記洗髪台の両側には理美容器具、例えばくし、ハサミ、ハンドドライヤーおよび洗髪に必要なタオルなどが収納される収納台が連接して設けられている。また洗髪台が複数台設置される場合は、左右いずれかの収納台に連結して洗髪台が設置され、洗髪台が２台の場合は収納台が３台、洗髪台が３台の場合は収納台が４台という構成で設備されていた。
【０００４】
【特許文献】特公平１−４４３２３号
【０００５】
【発明が解決しようとする課題】
ところで、前記した理美容室の洗髪台や収納台の構成では、理美容室内のスペースに制限のある店舗においては隣接する洗髪台の間が狭い場合、施術上の補助的な作業、例えばパーマやカラーリング時などの作業が、施術者の近傍に施術用薬剤や器具等を載置することができず、従来の構成では作業性の悪いものとなっていた。
【０００６】
またパーマやカラーリングなどの薬剤や器具等が載置された移動式ワゴンなどを施術近傍まで移動して使用する場合があるが、この場合前記したように狭い理美容室などでは移動式ワゴンなどを待機させる場所がない、また施術者が遠くまで移動して移動式ワゴンを運ばなければ成らない等の問題があった。
【０００７】
本発明は前記した問題を解決せんとするもので、その目的とするところは、パーマやカラーリングなどの補助作業を行う際に施術近傍でパーマやカラーリングに必要な薬剤や器具を用意でき、且つ施術近傍で前記薬剤や器具を使用できる理美容室における作業用テーブル装置を提供せんとするものである。
【０００８】
【課題を解決するための手段】
本発明の理美容室における作業用テーブル装置は前記目的を達成せんとするもので、その手段は、２以上の洗髪台が収納台とともに連接して取り付けられる理美容用収納洗髪台において、前記洗髪台もしくは前記洗髪台の両側に設けられる収納台との間に設けられる収納棚と、該収納棚上方部の前面下部で回転自在に軸支される天板部と、前記天板部の前方上部で回動自在に軸支される脚板部を設けるとともに、該収納棚から前記天板部および脚板部を外して作業用テーブルを形成でき、前記作業用テーブル不使用時には該天板部および脚板部を折り畳み、前記収納棚の前面部に収納できるようにする。
【０００９】
【発明の実施の形態】
以下、本発明にかかる理美容室における作業用テーブル装置の一実施の形態を図面とともに説明する。
【００１０】
図１は連続して設けられる理美容用収納洗髪台の斜視図、図２は理美容用収納洗髪台の側面図、図３は収納棚部の断面図であり、図４は連続して設けられる理美容用収納洗髪台の作業用テーブルが引き出された状態の斜視図、図５は作業用テーブルが引き出された状態の収納棚部の断面図、図６はリンク部の拡大側面図である。また図７は作業用テーブルが引き出された状態の他の実施例の斜視図をそれぞれ示す。
【００１１】
各図より、理美容室における作業用テーブル装置の構成を説明すると、１は収納棚であり、上部棚１ａおよび下部収納部１ｂおよび扉１ｃが設けられる。
また２は前記収納棚１の上部棚の下方部に設けられる蝶番などの回転軸３により回動自在設けられる天板部である。
【００１２】
４は前記天板部２の最上部に設けられる蝶番などの回転軸５により回動自在に設けられる脚板部であり、軸６で回動自在に軸支され、一方が天板部２側の軸７により回動自在に設けられ、他方が脚板部４側の軸８により回動自在に設けられるリンク９および１０が設けられている。
リンク１０にはリンク９を係止するための係止部１０ａが設けられている。
【００１３】
なお、前記収納棚１側の前面最上部には天板部２を保持するためのマグネット１２等が設けられ、天板部２の前面下方部には脚板部４を保持するためのマグネット１３等が設けられている。
１４は前記収納棚の両側に隣接して設けられる収納台である。
１５は洗髪ボールであり、洗髪する際は開けて洗髪状態し、不使用時は閉じて収納状態にするようになっている。
１６は洗髪ボールの上部に設けられる鏡である。
【００１４】
なお、図示していないが、通常は前記洗髪ボール１５と相対向して理美容椅子が設置されるようになっている。
従って、被施術者は理美容椅子に座った状態で整髪を行い、理美容椅子前面に位置する洗髪ボール１５を開いて洗髪するようにしている。
【００１５】
以上の構成から、通常は図１から図３に示す状態にあり、作業用テーブルを使用するときは、天板部４は収納棚１のマグネット１２等で係止されている係止状態であり、前記天板部４を持って、手前に引くとマグネット１２が外れ、回転軸３を中心として手前に回動し、その際に脚板部４もマグネット１３での係止状態から外れ、回転軸５により回動して手前に移動する。
【００１６】
脚板部４の最下端部が床面に接地した状態で、リンク１０に設けられる係止板１０ａがリンク９を係止し、天板部２と脚板部４は略９０゜の状態で床に設置され作業用テーブルが形成される。
次にテーブル状態から元に戻すときは、前記した逆の動作を行わせて脚板部４を天板部２に係止し、天板部２は棚板部４に係止するようになる。
【００１７】
又図７により他の実施例について説明すると、図７では、第１の実施例にある洗髪ボール１５に隣接して設けられる収納台１４が省略されたもので、洗髪ボール１５と洗髪ボール１５との間に収納棚１を設けているものが開示されている。
理美容室のスペースにより、洗髪ボール１５、収納台１４および作業用テーブルが収納できる収納棚１を適宜配置することができる。
【００１８】
以上の如くの構成により、通常時は収納棚１に収納され、使用時には作業用テーブルとして形成できるようになっている。
本実施例では、天板部２や脚板部４の係止をマグネット１２，１３で説明したが、これがラッチや吸着部材等を使用することも可能とし適宜変更できるものである。
また収納棚１や収納棚１に設けられ作業用テーブルを形成する天板部２や脚板部４の幅を狭くしてもよく、理美容室のスペースに合わせて適宜設計変更し得るものである。
【００１９】
【発明の効果】
本発明は前記したように、使用時には作業用テーブルとして形成できるようになっているので、パーマやカラーリングなどの補助作業の際に、収納棚から簡易に作業用テーブルが形成でき、該作業用テーブルを利用して薬剤や器具等を載置することができる。
また作業用テーブルとしてのみでなく隣と隣の間仕切りともなり、個室的な空間も得られるだけでなく、飲み物などを置く通常のテーブルとしても利用できるようになっている。
【００２０】
また通常時は収納棚に収納されているため、場所を取ることもなくまた移動用ワゴンなどを使用することもなくすっきりした空間が実現できる。
【図面の簡単な説明】
【図１】連続して設けられる理美容用収納洗髪台の斜視図である。
【図２】理美容用収納洗髪台の側面図である。
【図３】収納棚部の断面図である。
【図４】連続して設けられる理美容用収納洗髪台の作業用テーブルが引き出された状態の斜視図である。
【図５】作業用テーブルが引き出された状態の収納棚部の断面図である。
【図６】リンク部の拡大側面図である。
【図７】作業用テーブルが引き出された状態の他の実施例の斜視図である。
【符号の説明】
１          収納棚
１ａ        上部棚
１ｂ        下部収納部
２          天板部
３          回転軸
４          脚板部
５          回転軸
６、７、８  軸
９、１０    リンク
１０ａ      係止部
１４        収納台
１５        洗髪ボール
１６        鏡
【図１】
2004305638.tif 000003
【図２】
2004305638.tif 000004
【図３】
2004305638.tif 000005
【図４】
2004305638.tif 000006
【図５】
2004305638.tif 000007
【図６】
2004305638.tif 000008
【図７】
2004305638.tif 000009